(57)【特許請求の範囲】
【請求項１】
手を挿抜可能な手挿入部及び手から吹き飛ばされた水滴を回収する水受け部が形成された本体箱体と、
前記本体箱体に収納され高圧空気流を発生する高圧空気流発生装置と、
前記高圧空気流発生装置が生成した高圧空気流を前記手挿入部に両面から噴出するノズルと、
前記本体箱体の側部の一部に形成された凹部に設けられ、運転状態を切り換える操作部と、
前記操作部を覆うように設けられて、開閉可能な操作部蓋体と、
前記操作部蓋体の開閉を規制する鍵機構とを備え、
前記手挿入部は、前記本体箱体の上部が開放されて、手を挿抜可能な凹状空間を構成する
ことを特徴とする手乾燥装置。
【請求項２】
前記鍵機構には、前記鍵機構を回転させ、解除することができる溝もしくは突起がある差し込み部が設けられている
ことを特徴とする請求項１に記載の手乾燥装置。
【請求項３】
前記差し込み部の形状に合った鍵を前記差し込み部に差し込むことで前記鍵機構を回転させ、解除することができる
ことを特徴とする請求項２に記載の手乾燥装置。
【請求項４】
前記鍵機構は、前記操作部蓋体に設けられ、前記鍵機構を回転させると、前記本体箱体の一部と重なり、前記操作部蓋体を開かないようにする
ことを特徴とする請求項３に記載の手乾燥装置。
【請求項５】
前記操作部は、前記操作部蓋体に対向する位置に、電源スイッチと、風量調節器と、ヒータースイッチとを備えたことを特徴とする請求項１に記載の手乾燥装置。
【発明の詳細な説明】
【技術分野】
【０００１】
本発明は、洗浄後の濡れた手を衛生的に乾燥させるための手乾燥装置に関するものであり、特に開閉可能な操作部等を有する手乾燥装置に関するものである。
【背景技術】
【０００２】
洗浄後の濡れた手を乾燥させる装置として、高速空気流により手に付着した水滴を吹き飛ばし乾燥させる手乾燥装置がある。この装置は、外殻を形成する本体箱体に凹状形態に処理空間としての手挿入部が設けられ、手挿入部にはエアーノズルが配設されている。エアーノズルには送風機（高圧空気流発生装置）に接続されたエアーダクトが繋がれ、手挿入部内に高速空気流を噴出するようになっている。手の乾燥処理に伴い手挿入部に吹き飛ばされた水は、手挿入部の底部に設けられた水受け部から手挿入部の下方に備えられたドレン容器に滴下し受容される。この種の従来技術としては、特許文献１及び２に開示されているものがある。
【先行技術文献】
【特許文献】
【０００３】
【特許文献１】特開平１１−２４４１９２号公報
【特許文献２】特開２００１−３２７４３３号公報
【発明の概要】
【発明が解決しようとする課題】
【０００４】
高速空気流で手を乾燥する手乾燥装置では、送風機を保護するために吸込んだ空気から塵埃を除去するエアーフィルタが必要である。また、手の乾燥処理で吹き飛ばされた水を床に垂れ流さないために、水を溜めるドレン容器も必要である。特許文献１の場合、清掃時にドレン容器やエアーフィルタを付け忘れるといった問題を解消するために、ドレン容器とエアーフィルタを連結している。そして、エアーフィルタを取り付けてない場合は、運転できないようになっている。このような構成の場合、いたずらや盗難でドレン容器やエアーフィルタが紛失してしまうと、床への水垂れ、塵埃異物の吸い込み、長期間運転停止などが発生するという問題がある。
【０００５】
また、手乾燥装置は、本体清掃時や、長時間使わない時のために電源スイッチを備えている。特許文献２の場合、電源スイッチに直接水がかかりにくく、使用者が誤って操作しないように製品外殻の下部もしくは裏側に配置した構成になっている。この場合、容易に場所が特定できないものの、確実ではないため、いたずら操作をされる恐れがある。また、静音を求められる環境では管理者が送風機の出力を調節できるように、風量調節器が備えられているが、使用者の勝手な操作で出力を上げ、騒音の問題になる場合がある。
【０００６】
本発明は、上記した従来の問題点を解決するためになされたもので、その課題とするところは、盗難やいたずら操作を防止することができる手乾燥装置を得ることであり、操作部に鍵機構を設け、正しい鍵解除操作をした場合に限り、取り外しや操作ができる手乾燥装置を提供することを目的とする。
【課題を解決するための手段】
【０００７】
上述した課題を解決し、目的を達成するために、本発明の手乾燥装置は、手を挿抜可能な手挿入部及び手から吹き飛ばされた水滴を回収する水受け部が形成された本体箱体と、本体箱体に収納され高圧空気流を発生する高圧空気流発生装置と、高圧空気流発生装置が生成した高圧空気流を手挿入部に両面から噴出するノズルと、を備える。また、本発明の手乾燥装置は、本体箱体の側部の一部に形成された凹部に設けられ、運転状態を切り換える操作部と、操作部を覆うように設けられて、開閉可能な操作部蓋体と、操作部蓋体の開閉を規制する鍵機構とを備える。また、本発明の手乾燥装置は、手挿入部が、本体箱体の上部が開放されて、手を挿抜可能な凹状空間を構成する。
【発明の効果】
【０００８】
上記手段を採用することにより、管理者、清掃者が意図したときにのみ、盗難やいたずら操作を防止することができる。また、使用者が使いたいときに電源が入っていないことや、管理者が設定した状態で運転していないといったことがなくなり扱い易い手乾燥装置となる。
【図面の簡単な説明】
【０００９】
【図１】図１は、本発明にかかる手乾燥装置の実施の形態１の縦断面図である。
【図２】図２は、実施の形態１の手乾燥装置の斜視図である。
【図３】図３は、本体箱体の下部に配置したドレン容器周辺を示す右側面断面図である。
【図４】図４は、図２のドレン容器とエアーフィルタ収納部の拡大図である。
【図５】図５は、図２の操作部蓋体の周辺を示す拡大図である。
【図６】図６は、操作部の様子を示す断面図である。
【図７】図７は、本発明にかかる手乾燥装置の実施の形態２のエアーフィルタ収納部の拡大図である。
【図８】図８は、本発明にかかる手乾燥装置の実施の形態３の操作部蓋体の周辺を示す拡大図である。
【図９】図９は、本発明にかかる手乾燥装置の実施の形態４の受光部とリモコンの通信をする様子を示した概略図である。
【図１０】図１０は、本発明にかかる手乾燥装置の実施の形態５のエアーフィルタ収納部の拡大図である。
【発明を実施するための形態】
【００１０】
最初に、本発明の手乾燥装置の概要を説明し、次いで具体的な実施の形態について、説明する。
【００１１】
本発明の手乾燥装置は、凹状空間として構成された手挿入部が構成された本体箱体に、高速空気流を生成する高圧空気流発生装置が組込まれている。高圧空気流発生装置に空気を取込む空気取入口は、本体箱体内部に形成された吸気通路端として本体箱体最下部に開口している。この空気取入口には塵埃を除去するエアーフィルタが装着されており、このフィルタを通過した空気を吸気通路に配置したヒーターによって加熱している。本体箱体の手挿入部の下方には前後方向に抜き差して脱着できるドレン容器が装着されている。高圧空気流発生装置で生成された高圧空気流は、手挿入部の上部に設けられたエアーノズルに導かれる。このエアーノズルから高速空気流を手挿入部内に噴出して、手挿入部に入れた手に付着した水分を吹き飛ばし、手挿入部の底の水受け部に設けられた排水口からドレン容器に溜めるようになっている。
【００１２】
そして、本発明の手乾燥装置においては、ドレン容器に設けられた鍵機構により、管理者や清掃者が専用の鍵を使用してドレン容器を取り出す構造となっている。これにより、鍵を持つ特定者以外は取外せないこととなり、使用者のいたずら操作や盗難を防止することができる。
【００１３】
また、本発明の手乾燥装置においては、ドレン容器にエアーフィルタの取外しを規制する係合部を設けた構造になっている。この構造によりドレン容器に設けられた鍵機構を外し、ドレン容器を取り外した時のみエアーフィルタを取り出すことができるようになっている。すなわち、ドレン容器の鍵機構がエアーフィルタの鍵機構を兼ねている。
【００１４】
手乾燥装置においては、外殻を形成する本体箱体の一部に、開閉可能な蓋体で覆われた操作部が設けられている。この操作部には、電源の入／切スイッチやヒータースイッチ、高圧空気流を調節する風量調節器がある。本発明の手乾燥装置においては、操作部の開閉可能な蓋体に鍵機構が設けられている。この構造により、管理者、清掃者以外は操作部蓋体を開閉することができないので、操作部に配置した電源スイッチや高圧空気流の調節器を使用者にいたずら操作される心配がなくなる。
【００１５】
また、本発明の手乾燥装置においては、複数の鍵機構に対して同一の鍵で解除できる構造にされている。また、複数の鍵機構に対して同一の解除方法にて解除できる構造にされている。この構造により、清掃者がメンテナンスを行う際の手間を軽減し、なおかつ構造が簡素化されて安価な手乾燥装置とすることができる。なお、同一の解除方法とは、例えば、同一の入力部からの暗証番号入力であり、或いは、同一のリモコンからの同一の受光部への信号入力である。
【００１６】
また、本発明の手乾燥装置においては、鍵機構を正しく解除することなしに、ドレン容器またはエアーフィルタを取り出す操作や、操作部蓋体の開閉操作をすると警告音のブザーが鳴る構造とされている。この構造により、使用者や不特定者が盗難、いたずら操作できなくするとともに、仮に盗難、いたずら操作が行われた場合には、周囲に異常を知らせることができるため、製品の安全性を向上することができる。
【００１７】
以下に、本発明にかかる手乾燥装置の実施の形態を図面に基づいて詳細に説明する。なお、この実施の形態によりこの発明が限定されるものではない。
【００１８】
実施の形態１．
図１は本発明にかかる手乾燥装置の実施の形態１の縦断面図である。図２は本実施の形態の手乾燥装置の斜視図である。本実施の形態の手乾燥装置１００は、装置の外殻を形成する本体箱体１を有している。本体箱体１は、背面外殻をなすベース４と、正面外殻をなす正面パネル５とから構成されている。本体箱体１の上部に、手を挿抜可能な手挿入部３が凹状空間として形成されている。手挿入部３の底部に手から吹き飛ばされた水滴を回収する水受け部６が形成されている。
【００１９】
本体箱体１内部に、高速空気流を生成する送風機（高圧空気流発生装置）２が組み込まれている。また、この送風機２に空気を取り込むための空気取入口１２が、本体箱体１の内部に形成された吸気通路１１の端部として本体箱体１の最下部に開口している。この空気取入口１２には塵埃を除去するエアーフィルタ１３が装着されており、このエアーフィルタ１３を通過した空気を吸気通路１１に配置したヒーター１４によって加熱している。一方、本体箱体１の手挿入部３の下方に、引き出し状に前後方向に抜き差して脱着できるドレン容器９が装備されている。送風機２で生成された高圧空気流は、手挿入部３の上部に設けられたエアーノズル３ａに導かれる。このエアーノズル３ａから高速空気流を手挿入部３内に噴出して、手挿入部３に入れた手に付着した水分を吹き飛ばし、手挿入部３の底の水受け部６に設けられた排水口７から排水管８を介してドレン容器９に溜めるようになっている。
【００２０】
手挿入部３は本体箱体１の正面上部に、両側面が開放した手の挿抜可能の開放シンク状の凹状空間として形成され、手挿入部３にて吹き飛ばした水分は傾斜が付いた水受け部６で回収し、その回収した水を傾斜下端の排水口７へ導く構成である。
【００２１】
排水口７には排水管８が接続されている。排水管８で運ばれた水は、開放容器構造のドレン容器９に貯溜される。ドレン容器９には取り外し可能な蓋１０が設けられている。なお、ドレン容器９とその蓋１０は、耐薬品性のあるＰＰまたはＡＢＳ又はＡＳＡ樹脂で作られ、中性洗剤及びアルコール等を使って洗浄し清掃することができる。また、手挿入部３の表面には、シリコン系もしくはフッ素系等の撥水性コーティング、又は酸化チタン等の親水性を有するコーティング、又は抗菌剤が含浸され、表面への汚れの付着の軽減や細菌の繁殖の低減が図られている。
【００２２】
送風機２は、ＤＣブラシレスモーター（整流子モーター又は誘導電動機であっても良い）と、これを駆動させる駆動回路及びＤＣブラシレスモーターによって回転するターボファンにより構成され、この実施の形態では手挿入部３の直下に取付けられている。空気取入口１２より奥の吸気通路１１にヒーターボックス１６が設けられている。このヒーターボックス１６内部には蓄熱式のヒーター１４が組込まれている。
【００２３】
図２において、本体箱体１の上部左側面には、装置の運転状態を切り換える図示しない操作部が設けられており、この操作部は開閉可能な操作部蓋体１８により覆われている。この操作部には、電源スイッチ、ヒータースイッチ及び風量調節器が設けられている。
【００２４】
図３は本体箱体１の下部に配置したドレン容器９周辺を示す右側面断面図である。ドレン容器９は、図３に記載の矢印Ａに示すように、前後方向に抜き差し可能な構造になっている。ドレン容器９の中央下部に、ドレン容器９の取り外しを規制するドレン容器鍵機構（第１の鍵機構）１５が設けられている。ドレン容器９に具備されたドレン容器鍵機構１５の鍵の差し込み部には、所定の溝もしくは突起が設けられ、この鍵差し込み部形状に合うよう製作された専用鍵２０を差し込むことでドレン容器鍵機構１５を回転させる（解除する）ことができるようにされている。一方、ヒーターボックス１６には、このドレン容器鍵機構１５と噛み合う部分があり、両者が重なっているときはドレン容器９が引き抜けない構造になっている。この構造により、専用の鍵を所持している清掃者や管理者のみがドレン容器９を抜き差しできることとなり、盗難やいたずら操作を防止することができる。
【００２５】
図４は図２のドレン容器とエアーフィルタ収納部の拡大図である。エアーフィルタ収納部は、空気取入口１２の開口部に設けられ、開閉可能な収納部蓋体２１を有している。収納部蓋体２１は、一端に設けられたヒンジ２１ａによりヒーターボックス１６と連結され、ヒンジ２１ａを支点として回動して、矢印Ｂに示すように手前側に開き、内側にあるエアーフィルタ１３を取り出せる構造とされている。収納部蓋体２１の開放側端部には、ドレン容器９から延びるドレン容器突起部１７が掛かっている。ドレン容器突起部１７は短冊状の金属板を断面Ｌ字型に折り曲げて作製され、ドレン容器９に図示しないネジ等で固定されており、収納部蓋体２１の開放を規制している。ドレン容器突起部１７は、ドレン容器９を矢印Ｃのように引き出すと収納部蓋体２１から外れる。これにより、収納部蓋体２１が開放可能となるので、エアーフィルタ１３の取り出しが可能となる。ドレン容器鍵機構１５により、ドレン容器９は専用鍵２０がないと取り出せないため、エアーフィルタ１３も取り出せなくなる。つまり、ドレン容器鍵機構１５は、エアーフィルタ１３の取り出しを規制する鍵機構としても機能している。この構造により、エアーフィルタ１３の盗難、いたずら防止用としての鍵機構を別に設ける必要がなくなるため、安価で構造を簡素化することができる。なお、ドレン容器突起部１７はドレン容器９と一体に作製された構造であってもよい。
【００２６】
図５は図２の操作部蓋体の周辺を示す拡大図である。図６は操作部の様子を示す断面図である。操作部蓋体１８は、一端に設けられた図示しないヒンジ構造により本体箱体１と連結され、このヒンジ構造を支点として回動して、図５の矢印Ｄに示すように手前側に開き、内側の操作部１８Ｂに設けられた電源スイッチ２５、ヒータースイッチ２６、及び風量調節器２４を操作可能な構造とされている。操作部蓋体１８には、操作部蓋体１８の開閉を規制する操作部鍵機構（第３の鍵機構）１９が設けられている。この操作部鍵機構１９の鍵の差し込み部の形状には特定の溝もしくは突起がある。そして、この差し込み部形状に合うよう製作された専用鍵２０を差し込むことで操作部鍵機構１９を回転させる（解除する）ことができるようにされている。操作部鍵機構１９を回転させると、先端が背面パネル２３の一部と重なり、操作部蓋体１８を開かないようにする。この構造により、操作部１８Ｂに配置した電源スイッチ２５、ヒータースイッチ２６、及び風量調節器２４を使用者にいたずら操作されることなく、専用鍵２０を所持した専任者のみ、操作が可能となるため、管理が容易になる。
【００２７】
なお、上述のドレン容器鍵機構（第１の鍵機構）１５、及び操作部鍵機構（第３の鍵機構）１９の差し込み部形状を同一にして、一つの専用鍵で解除できる構造としてもよい。このような構成とすることにより、さらに管理を容易とするとともに作業性を向上させる。
【００２８】
実施の形態２．
図７は本発明にかかる手乾燥装置の実施の形態２のエアーフィルタ収納部の拡大図である。実施の形態１と同じ部分については実施の形態１のものと同じ符号を用いそれらについての説明は省略する。
【００２９】
エアーフィルタ収納部は、空気取入口１２の開口部に設けられ、開閉可能な収納部蓋体２１を有している。収納部蓋体２１は、一端に設けられたヒンジ２１ａによりヒーターボックス１６と連結され、ヒンジ２１ａを支点として回動して、手前側に開き、内側に収納されたエアーフィルタ１３を取り出せる構造とされている。収納部蓋体２１の開放側端部には、エアーフィルタ収納部鍵機構（第２の鍵機構）２２が設けられている。エアーフィルタ収納部鍵機構２２の鍵差し込み部には特定の溝もしくは突起が設けられ鍵差し込み部に合うよう製作された専用鍵２０を差し込むことでエアーフィルタ収納部鍵機構２２を回転させる（解除する）ことができるようにされている。また、エアーフィルタ収納部鍵機構２２とヒーターボックス１６は一部が噛み合う構造となっており、両者が重なっているときは収納部蓋体２１が開かずエアーフィルタ１３が取り出せない構造になっている。専用鍵２０を使用し、エアーフィルタ収納部鍵機構２２を回転することで、収納部蓋体２１が開放可能となり、内側にあるエアーフィルタ１３を取り出すことが可能となる。この構造により、専用の鍵を所持している清掃者や管理者のみがエアーフィルタ１３を取り出し可能となり、盗難やいたずら操作を防止することができる。その他の構成は実施の形態１と同様である。
【００３０】
なお、本実施の形態のエアーフィルタ収納部鍵機構（第２の鍵機構）２２と、実施の形態１のドレン容器鍵機構（第１の鍵機構）１５、及び操作部鍵機構（第３の鍵機構）１９の差し込み部形状を同一にして、一つの専用鍵で解除できる構造としてもよい。このような構成とすることにより、さらに管理を容易とするとともに作業性を向上させる。この効果は、少なくとも２つの鍵機構の施錠の操作が、一つの専用鍵により行われるようにすれば得ることができる。
【００３１】
実施の形態３．
図８は本発明にかかる手乾燥装置の実施の形態３の操作部蓋体の周辺を示す拡大図である。実施の形態１と同じ部分については実施の形態１のものと同じ符号を用いそれらについての説明は省略する。
【００３２】
操作部蓋体１８は、一端に設けられた図示しないヒンジ構造により本体箱体１と連結され、このヒンジ構造を支点として回動して、手前側に開き、内側の操作部１８Ｂに設けられた電源スイッチ２５、ヒータースイッチ２６及び風量調節器２４を操作可能な構造とされている。操作部蓋体１８には、その開閉を規制する操作部鍵機構（第３の鍵機構）１９Ｂが設けられている。さらに、本体箱体１の上部には、この操作部鍵機構１９Ｂを解除するための暗証番号確認画面（暗証番号の入力部）２７が設けられている。また、この暗証番号確認画面２７に隣接して、暗証番号入力ボタン２８が具備されており、管理者が任意の番号を設定することができるようにされている。初期設定した番号を清掃時等に暗証番号確認画面２７に入力することで、製品内部に搭載されているマイクロコンピュータが入力した番号を認識し、番号が一致することで解除信号を出力し、操作部鍵機構１９Ｂが解除される。この構造により、操作部に配置した電源スイッチ２５、ヒータースイッチ２６及び風量調節器２４を使用者にいたずら操作されることなく、暗証番号を設定した管理者や清掃者のみが操作可能となるため、管理が容易になる。その他の構成は実施の形態１と同様である。
【００３３】
なお、本実施の形態の操作部鍵機構（第３の鍵機構）１９Ｂに限らず、実施の形態１のドレン容器鍵機構（第１の鍵機構）１５や、実施の形態２のエアーフィルタ収納部鍵機構（第２の鍵機構）２２についても、本体箱体１に設けられた同一の暗証番号確認画面２７からの暗証番号入力により解除されるようにしてもよい。この場合、例えば“１”で始まる暗証番号が操作部鍵機構１９Ｂの解除、“２”で始まる暗証番号がドレン容器鍵機構１５の解除などとして区別してもよい。この構成により、専用の鍵なしで複数の鍵機構が解除可能となり、管理が容易となるとともに、装置の簡素化を図ることができる。
【００３４】
実施の形態４．
図９は本発明にかかる手乾燥装置の実施の形態４の受光部とリモコンの通信をする様子を示した概略図である。実施の形態１と同じ部分については実施の形態１のものと同じ符号を用いそれらについての説明は省略する。
【００３５】
上記記載の通り、ドレン容器やエアーフィルタは盗難の危険があり、電源スイッチ２５や風量調節器２４はいたずら操作される危険があるため、個々に盗難、いたずら防止用の鍵機構を設けている。本実施の形態においては、本体箱体１の上部にリモコンの送信内容を受光するリモコン受光部３０を備えている、そして、専用のリモコン２９で鍵機構の施錠及び解除の信号を送信し、送信内容を受光したリモコン受光部３０から本体内部に搭載されているマイクロコンピュータが送信内容を認識し、鍵機構を自動で施錠或いは解除する。
【００３６】
このリモコン２９からのリモコン受光部３０への信号入力による施錠及び解除の操作は、実施の形態１のドレン容器鍵機構（第１の鍵機構）１５、操作部鍵機構（第３の鍵機構）１９、及び実施の形態のエアーフィルタ収納部鍵機構（第２の鍵機構）２２の施錠及び解除の操作として適用される。この構造により、清掃者や管理者などの作業する人が容易に盗難やいたずら操作を防止できる。なお、上記複数の鍵機構の施錠及び解除の操作が、同一のリモコン２９からの同一のリモコン受光部３０への信号入力により行われるようにすることにより、装置の簡素化を図ることができる。なお、この効果は、少なくとも２つの鍵機構の施錠及び解除の操作が、同一のリモコン２９からの同一のリモコン受光部３０への信号入力により行われるようにすれば得ることができる。なお、この場合、専用鍵２０による施錠及び解除構造と併用して設けることで、さらに使い勝手が良くなる。
【００３７】
実施の形態５．
図１０は本発明にかかる手乾燥装置の実施の形態５のエアーフィルタ収納部の拡大図である。実施の形態１と同じ部分については実施の形態１のものと同じ符号を用いそれらについての説明は省略する。本実施の形態は、ドレン容器９の取り外し、或いは収納部蓋体２１の開放が、鍵機構の正しい解除操作をせずに行われたとき、警告音を鳴らす警報器を設けるというものである。
【００３８】
上記記載の通り、取り外し可能なドレン容器９やエアーフィルタ１３は盗難の恐れがある。そこで本体箱体１の内部に警告音を発生させるブザー（警報器）を設け、ドレン容器９やエアーフィルタ１３を鍵機構の正しい解除操作をせずに取り外すとブザーが鳴り、いたずら操作をしたときに注意を促すことができる。また、清掃する際には、ドレン容器９やエアーフィルタ収納部に設けられている警告音解除ボタン（ドレン容器鍵機構（第１の鍵機構）１５Ｂ及びエアーフィルタ収納部鍵機構（第２の鍵機構）２２Ｂが兼用）に専用鍵２０を差し込むことで、つまり、鍵機構の正しい解除操作を行うことで解除信号が入力され、この解除信号を本体箱体１内部のマイクロコンピュータが認識しブザー機能を停止して、警告音なく取り外しが可能となる。この構造により、盗難などのいたずら操作をする使用者への警告となり、周囲へ異常を知らせることもできるため管理が容易となる。
【００３９】
なお、本実施の形態においては、ドレン容器の取り外し及び収納部蓋体の開放に限らず、操作部蓋体の開放が、鍵機構の正しい解除操作をせずに行われたとき、警告音を鳴らすようにしてもよい。
【産業上の利用可能性】
【００４０】
本発明は、洗浄後の濡れた手を衛生的に乾燥させるための手乾燥装置に適用されて好適なものであり、特に本体に着脱自在に設けられたドレン容器或いはエアーフィルタ、または開閉可能な操作部等を有する手乾燥装置に適用されて最適なものである。
【符号の説明】
【００４１】
１  本体箱体、２  送風機（高圧空気流発生装置）、３  手挿入部、４  ベース、５  正面パネル、６  水受け部、７  排水口、８  排水管、９  ドレン容器、１０  ドレン容器の蓋、１１  吸気通路、１２  空気取入口、１３  エアーフィルタ、１４  ヒーター、１５，１５Ｂ  ドレン容器鍵機構（第１の鍵機構）、１６  ヒーターボックス、１７  ドレン容器突起部（係合部）、１８  操作部蓋体、１９，１９Ｂ  操作部鍵機構（第３の鍵機構）、２０  専用鍵、２１  収納部蓋体、２２，２２Ｂ  エアーフィルタ収納部鍵機構（第２の鍵機構）、２３  背面パネル、２４  風量調節器、２５  電源スイッチ、２６  ヒータースイッチ、２７  暗証番号確認画面、２８  暗証番号入力ボタン、２９  リモコン、３０  リモコン受光部（受光部）。
【図１】
0006000423.tif 000002
【図２】
0006000423.tif 000003
【図３】
0006000423.tif 000004
【図４】
0006000423.tif 000005
【図５】
0006000423.tif 000006
【図６】
0006000423.tif 000007
【図７】
0006000423.tif 000008
【図８】
0006000423.tif 000009
【図９】
0006000423.tif 000010
【図１０】
0006000423.tif 000011